【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
物品の画像についての評価値に基づいて前記物品を複数のグループのいずれかに分類する分類方法であって、
前記複数のグループのいずれかに既に分類された複数のサンプルの画像を用いて、前記評価値を取得するための評価方法を決定する決定工程と、
前記決定工程で決定した評価方法により前記複数のサンプルの画像についての評価値を取得する取得工程と、
前記複数のサンプルの画像についての評価値において前記複数のグループの各々で特異な評価値を有する少なくとも１つのサンプルの画像についての評価値を変化させ、且つ、サンプルの画像についての評価値の範囲が前記複数のグループにおいて互いに相違する度合が高まるように前記評価方法を変更する変更工程と、
前記変更工程で変更された後の評価方法を用いて前記物品の画像についての評価値を取得し、当該評価値に基づいて前記物品を前記複数のグループのいずれかに分類する分類工程と、
を含むことを特徴とする分類方法。
【請求項２】
前記変更工程では、前記少なくとも１つのサンプルの画像についての評価値の変化が、前記複数のサンプルの画像についての評価値の変化の平均に比べて大きくなるように評価方法を変更する、ことを特徴とする請求項１に記載の分類方法。
【請求項３】
前記複数のグループは、第１グループおよび第２グループを含み、
前記少なくとも１つのサンプルは、サンプルの画像についての評価値の範囲が前記第１グループと前記第２グループとで互いに重なり合っている部分におけるサンプル群から選択されている、ことを特徴とする請求項１又は２に記載の分類方法。
【請求項４】
前記変更工程では、前記度合が許容値を満たすように評価方法を変更する工程を繰り返すことにより前記分類工程で用いる評価方法についての複数の候補を取得し、前記複数の候補のうち前記度合が最も大きい候補を前記分類工程で用いる評価方法に決定する、ことを特徴とする請求項１乃至３のうちいずれか１項に記載の分類方法。
【請求項５】
前記変更工程では、前記度合が許容値を満たすように評価方法を変更する工程を、予め設定された回数だけ繰り返す、ことを特徴とする請求項４に記載の分類方法。
【請求項６】
前記取得工程では、パラメータとして前記複数のサンプルの画像から少なくとも１つの特徴量を抽出し、前記少なくとも１つの特徴量を評価方法に代入することにより前記複数のサンプルの画像についての評価値を取得する、ことを特徴とする請求項１乃至５のうちいずれか１項に記載の分類方法。
【請求項７】
前記変更工程では、変更した評価方法により前記複数のサンプルの画像についての評価値を取得し、当該複数のサンプルの画像についての評価値に基づいて前記物品を分類するための評価値の閾値を決定する、ことを特徴とする請求項１乃至６のうちいずれか１項に記載の分類方法。
【請求項８】
前記変更工程では、前記複数のグループのうち所定のグループに分類されるべきサンプルを当該所定のグループに分類させる比率に従って前記閾値を決定する、ことを特徴とする請求項７に記載の分類方法。
【請求項９】
前記変更工程は、前記複数のサンプルの画像についての評価値をグループごとに表した情報を表示する表示工程を含む、ことを特徴とする請求項１乃至８のうちいずれか１項に記載の分類方法。
【請求項１０】
前記情報は、各グループにおける評価値のヒストグラムを含む、ことを特徴とする請求項９に記載の分類方法。
【請求項１１】
前記複数のグループは、第１グループおよび第２グループを含み、
前記情報は、評価値でソートされた前記第１グループの各サンプルの画像と、前記第１グループの各サンプルの画像の評価値に対応する評価値を有する前記第２グループのサンプルの画像の数との関係を含む、ことを特徴とする請求項９に記載の分類方法。
【請求項１２】
前記変更工程は、前記表示工程において表示された前記情報に基づいて、前記少なくとも１つのサンプルを特定する特定工程を含む、ことを特徴とする請求項９乃至１１のうちいずれか１項に記載の分類方法。
【請求項１３】
前記決定工程では、前記複数のグループのいずれかに既に分類された前記複数のサンプルの画像を用いて、少なくとも１つの特徴量を含むリストを作成し、前記リストに含まれる前記少なくとも１つの特徴量をパラメータとして用いて前記評価方法を決定し、
前記変更工程では、前記リストに少なくとも１つの新しい特徴量を加えることによって前記評価方法を変更する、ことを特徴とする請求項１乃至１２のうちいずれか１項に記載の分類方法。
【請求項１４】
請求項１乃至１３のうちいずれか１項に記載の分類方法の各工程を情報処理装置に実行させることを特徴とするプログラム。
【請求項１５】
物品の検査を行う検査方法であって、
前記物品を撮像することにより前記物品の画像を取得する工程と、
請求項１乃至１３のうちいずれか１項に記載の分類方法を用いて前記物品を前記複数のグループのいずれかに分類する工程と、
を含むことを特徴とする検査方法。
【請求項１６】
物品の検査を行う検査装置であって、
前記物品を撮像することにより前記物品の画像を得る撮像部と、
前記物品の画像についての評価値に基づいて前記物品を複数のグループのいずれかに分類する処理部と、
を含み、
前記処理部は、
前記複数のグループのいずれかに既に分類された複数のサンプルの画像を用いて、前記評価値を取得するための評価方法を決定し、
決定した評価方法により前記複数のサンプルの画像についての評価値を取得し、
前記複数のサンプルの画像についての評価値において前記複数のグループの各々で特異な評価値を有する少なくとも１つのサンプルの画像についての評価値を変化させ、且つ、サンプルの画像についての評価値の範囲が前記複数のグループにおいて互いに相違する度合が高まるように前記評価方法を変更し、
変更された後の評価方法を用いて前記物品の画像についての評価値を取得し、当該評価値に基づいて前記物品を前記複数のグループのいずれかに分類する、ことを特徴とする検査装置。
【手続補正２】
【補正対象書類名】明細書
【補正対象項目名】０００８
【補正方法】変更
【補正の内容】
【０００８】
上記目的を達成するために、本発明の一側面としての分類方法は、物品の画像についての評価値に基づいて前記物品を複数のグループのいずれかに分類する分類方法であって、前記複数のグループのいずれかに既に分類された複数のサンプルの画像を用いて、前記評価値を取得するための評価方法を決定する決定工程と、前記決定工程で決定した評価方法により前記複数のサンプルの画像についての評価値を取得する取得工程と、前記複数のサンプルの画像についての評価値において前記複数のグループの各々で特異な評価値を有する少なくとも１つのサンプルの画像についての評価値を変化させ、且つ、サンプルの画像についての評価値の範囲が前記複数のグループにおいて互いに相違する度合が高まるように前記評価方法を変更する変更工程と、前記変更工程で変更された後の評価方法を用いて前記物品の画像についての評価値を取得し、当該評価値に基づいて前記物品を前記複数のグループのいずれかに分類する分類工程と、を含むことを特徴とする。
【手続補正３】
【補正対象書類名】明細書
【補正対象項目名】００１４
【補正方法】変更
【補正の内容】
【００１４】
検査装置１は、撮像部１１と、処理部１２と、表示部１３と、入力部１４とを含みうる。撮像部１１は、例えば照明部やカメラなどを含み、物品２を撮像して物品２の画像（対象画像）を取得する。撮像部１１によって取得された物品２の画像は、処理部１２に転送される。処理部１２は、例えば、ＣＰＵ１２ａ（Central Processing Unit）、ＲＡＭ１２ｂ（Random AccessMemory）、およびＨＤＤ１２ｃ（Hard Disk Drive）を含む情報処理装置から成りうる。処理部１２は、撮像部１１によって取得された対象画像についての評価値を求め、求めた評価値と各グループにおける評価値の範囲（閾値）とに基づいて物品２を複数のグループのいずれかに分類する処理（分類処理）を実行する。ＣＰＵ１２ａは、物品２を複数のグループに分類するためのプログラムを実行し、ＲＡＭ１２ｂ、ＨＤＤ１２ｃは、当該プログラムやデータを格納する。表示部１３は、例えばモニタを含み、処理部１２によって実行された分類処理の結果を表示する。また、入力部１４は、例えばキーボードやマウスなどを含み、ユーザからの指示を処理部１２に送信する。